【手続補正書】
【提出日】平成21年1月8日(2009.1.8)
【手続補正１】
【補正対象書類名】明細書
【補正対象項目名】特許請求の範囲
【補正方法】変更
【補正の内容】
【特許請求の範囲】
【請求項１】  より高いレートのコードの少なくとも２つのコードシーケンスを有する、より低いレートのコードを含むようにコードに適用されるコード化された受信信号を検出する方法であって、
前記コード化された受信信号と、前記より高いレートのコードとを相互に関係付けて、より高いレートのコードのコリレーション結果を取得するステップと、
第１のより低いレートのコードに基づき複数のより高いレートのコードを組み合わせて、第１のより低いレートのコードのコリレーション結果を取得するステップと、
第２のより低いレートのコードに基づき前記複数のより高いレートのコードを組み合わせて、第２のより低いレートのコードのコリレーション結果を取得するステップと
を備えたことを特徴とする方法。
【請求項２】  前記第１および第２のより低いレートのコードのコリレーション結果から、少なくとも１つのコード化された信号の存在を判定するステップをさらに備えたことを特徴とする請求項１に記載の方法。
【請求項３】  前記第１のより低いレートのコードに対応する第１の表示の存在を判定するステップをさらに備えたことを特徴とする請求項１に記載の方法。
【請求項４】  前記第２のより低いレートのコードに対応する第２の表示の存在を判定するステップをさらに備えたことを特徴とする請求項１に記載の方法。
【請求項５】  前記第１および第２のより低いレートのコードのコリレーション結果から、相反する２つのコード化された信号のうちの１つの存在を判定するステップをさらに備えたことを特徴とする請求項１に記載の方法。
【請求項６】  より高いレートのコードの少なくとも２つのコードシーケンスを有する、より低いレートのコードを含むようにコードに適用されるコード化された受信信号を検出する方法であって、
前記コード化された受信信号と、前記より高いレートのコードとを相互に関係付けて、より高いレートのコードのコリレーション結果を取得するステップと、
２つまたはそれ以上のより高いレートのコードと、第１のより低いレートのコードとを組み合わせて、第１のより低いレートのコードのコリレーション結果を取得するステップと、
前記２つまたはそれ以上のより高いレートのコードと、第２のより低いレートのコードに基づきを組み合わせて、第２のより低いレートのコードのコリレーション結果を取得するステップと、
前記第１および第２のより低いレートのコードのコリレーション結果から、相反する２つのコード化された信号のうちの１つの存在を判定するステップと、
前記第１および第２のより低いレートのコードのコリレーション結果を比較して、前記第１のより低いレートのコードに対応する第１の表示か、前記第２のより低いレートのコードに対応する第２の表示のいずれかの存在を判定するステップと
を備えたことを特徴とする方法。
【請求項７】  前記コード化された受信信号は、定期的に受信されることを特徴とする請求項６に記載の方法。
【請求項８】  前記より低いレートのコードは、相互に直行していることを特徴とする請求項６に記載の方法。
【請求項９】  前記より低いレートのコードは、Ｗａｌｓｈコードであることを特徴とする請求項６に記載の方法。
【請求項１０】  前記より低いレートのコードは、ＰＮシーケンスであることを特徴とする請求項６に記載の方法。
【請求項１１】  前記より高いレートのコードは３２チップであり、前記より低いレートのコードは１２８チップであることを特徴とする請求項６に記載の方法。
【請求項１２】  前記より低いレートのコードは、タイミング信号に用いられることを特徴とする請求項６に記載の方法。
【請求項１３】  より高いレートのコードの少なくとも２つのコードシーケンスを有する、より低いレートのコードを含むようにコードに適用されるコード化された受信信号を検出する方法であって、
前記コード化された受信信号と、前記より高いレートのコードとを相互に関係付けて、より高いレートのコードのコリレーション結果を取得するステップと、
２つまたはそれ以上のより高いレートのコードと、第１のより低いレートのコードとを組み合わせて、第１のより低いレートのコードのコリレーション結果を取得するステップと、
前記２つまたはそれ以上のより高いレートのコードと、第２のより低いレートのコードに基づきを組み合わせて、第２のより低いレートのコードのコリレーション結果を取得するステップと
を備え、前記より低いレートのコードはタイミング信号に用いられ、前記より低いレートのコードの１つはハートビート信号を表示するため、前記より低いレートのコードのもう１つはリクエスト信号を有するハートビート信号を表示するために用いられことを特徴とする方法。
【請求項１４】  Ｍ個の可能なより低いレートのコードのセットのうちの１つであり、より高いレートのコードの少なくとも２つのコードシーケンスを有する、より低いレートのコードを含むようにコードに適用されるコード化された受信信号を検出する方法であって、
前記コード化された受信信号と、前記より高いレートのコードとを相互に関係付けて、より高いレートのコードのコリレーション結果を取得するステップと、
２つまたはそれ以上のより高いレートのコードと、前記Ｍ個のより低いレートのコードのセットのうちのＮ個とを組み合わせて、Ｎ個のより低いレートのコードのコリレーション結果を取得するステップと
を備えたことを特徴とする方法。
【請求項１５】  前記Ｎ個のより低いレートのコードのコリレーション結果から、少なくとも１つのコード化された信号の存在を判定するステップをさらに備えたことを特徴とする請求項１４に記載の方法。
【請求項１６】  前記Ｎ個のより低いレートのコードのコリレーション結果から、相反するコード化された信号の存在を判定するステップをさらに備えたことを特徴とする請求項１４に記載の方法。
【請求項１７】  前記Ｎ個のより低いレートのコードのコリレーション結果から、相反するＮ個のコード化された信号の存在を判定するステップをさらに備えたことを特徴とする請求項１４に記載の方法。
【請求項１８】  前記Ｎ個のより低いレートのコードのコリレーション結果から、相反するＮ個のコード化された信号の１つのサブセットの存在を判定するステップをさらに備えたことを特徴とする請求項１４に記載の方法。
【請求項１９】  前記コード化された受信信号は、定期的に受信されることを特徴とする請求項１４に記載の方法。
【請求項２０】  前記より低いレートのコードは、相互に直行していることを特徴とする請求項１４に記載の方法。
【請求項２１】  前記より低いレートのコードは、Ｗａｌｓｈコードであることを特徴とする請求項１４に記載の方法。
【請求項２２】  前記より低いレートのコードは、ＰＮシーケンスであることを特徴とする請求項１４に記載の方法。
【請求項２３】  無線通信システムにおいて、Ｍ個の可能な組み込まれたコードのセットのうちの１つであり、基本的なコードの少なくとも２つのコードシーケンスを有する、組み込まれたコードを含むようにコードに適用されるコード化された受信信号を検出する方法であって、
前記コード化された受信信号を相互に関係付けて、Ｍより小さいＮ個の組み込まれたコードのコリレーション結果を取得するステップと、
前記Ｎ個の組み込まれたコードのコリレーション結果から、少なき友１つのコード化された信号の存在を判定するステップと
を備えたことを特徴とする方法。
【請求項２４】  前記Ｎ個の組み込まれたコードのコリレーション結果から、相反するコード化された信号の存在を判定するステップをさらに備えたことを特徴とする請求項２３に記載の方法。
【請求項２５】  前記Ｎ個の組み込まれたコードのコリレーション結果から、相反するＮ個のコード化された信号の存在を判定するステップをさらに備えたことを特徴とする請求項２３に記載の方法。
【請求項２６】  前記Ｎ個の組み込まれたコードのコリレーション結果から、相反するＮ個のコード化された信号の１つのサブセットの存在を判定するステップをさらに備えたことを特徴とする請求項２３に記載の方法。
【請求項２７】  前記Ｎ個の組み込まれたコードは、演繹的なシステム情報に基づいて選択されることを特徴とする請求項２３に記載の方法。
【請求項２８】  前記コード化された受信信号は、定期的に受信されることを特徴とする請求項２３に記載の方法。
【請求項２９】  前記組み込まれたコードは、相互に直行していることを特徴とする請求項２３に記載の方法。
【請求項３０】  前記組み込まれたコードは、Ｗａｌｓｈコードであることを特徴とする請求項２３に記載の方法。
【請求項３１】  前記組み込まれたコードは、ＰＮシーケンスであることを特徴とする請求項２３に記載の方法。
【請求項３２】  より高いレートのコードの少なくとも２つのコードシーケンスを有する、より低いレートのコードを含むようにコードに適用されるコード化された受信信号を検出する方法であって、
より高いレートのコードのコリレータを用いて前記コード化された受信信号と、前記より高いレートのコードとを相互に関係付けて、より高いレートのコードのコリレーション出力を取得するステップと、
各々異なるより低いレートのコードを用いる２つまたはそれ以上のより低いレートのコードのコリレータを動作させて、前記より高いレートのコードのコリレーション出力を共有し、対応するより低いレートのコードのコリレーション結果を取得するステップと
を備えたことを特徴とする方法。